(57)【特許請求の範囲】
【請求項１】
水を供給する給水配管(1)の途中に受水槽(2)を設け、同受水槽(2)において所定量の水を貯留するようにし、貯留した水を給水ポンプ(23)により吸引して給水配管(1)の下流方向に送水可能とするとともに、受水槽(2)には超高分子ミネラル磁気電離水生成装置(5)を配設し、超高分子ミネラル磁気電離水を給水可能とした給水装置であって、
受水槽(2)に連通させた通気用配管(13)に、空気濾過フィルターを内設した空気濾過器(14)を介設し、受水槽(2)内への外気の直接的な侵入を阻止するようにし、
さらに超高分子ミネラル磁気電離水生成装置(5)は、上流側より、受水槽(2)内の水を吸引圧送する循環ポンプ(15)と、水の中の不純物イオンを除去するイオン交換機(16)と、セラミックスミネラルハウジング(17)を内設して水にミネラル分を添加することができるようにしたミネラル添加槽(18)と、水の濾過を行う精密濾過器(19)と、水の殺菌処理を行う紫外線殺菌器(20)と、水に磁場を作用させて磁気電離水を生成する磁気マグネット回路(21)とを、この順で直列に連通連結させて構成することにより超高分子ミネラル磁気電離水を生成するようにしており、同超高分子ミネラル磁気電離水生成装置(5)と受水槽(2)とを往路配管(3)及び復路配管(4)とにより連通連結させ、循環流路を形成していることを特徴とする超高分子ミネラル磁気電離水の給水装置。
【請求項２】
水を供給する給水配管(1)の途中に受水槽(2 )を設け、同受水槽(2)において所定量の水を貯留するようにし、貯留した水を給水ポンプ(23)により吸引して給水配管(1)の下流方向に送水可能とするとともに、受水槽(2)には超高分子ミネラル磁気電離水生成装置(5)を配設し、超高分子ミネラル磁気電離水を給水可能とした給水装置であって、
受水槽(2)のオーバーフロー部(10)に連通連結させたオーバーフロー排水管(11)にエアカットバルブ(12)を介設し、受水槽(2)内への外気の直接的な侵入を阻止するようにし、
さらに超高分子ミネラル磁気電離水生成装置(5)は、上流側より、受水槽(2)内の水を吸引圧送する循環ポンプ(15)と、水の中の不純物イオンを除去するイオン交換機(16)と、セラミックスミネラルハウジング(17)を内設して水にミネラル分を添加することができるようにしたミネラル添加槽(18)と、水の濾過を行う精密濾過器(19)と、水の殺菌処理を行う紫外線殺菌器(20)と、水に磁場を作用させて磁気電離水を生成する磁気マグネット回路(21)とを、この順で直列に連通連結させて構成することにより超高分子ミネラル磁気電離水を生成するようにしており、同超高分子ミネラル磁気電離水生成装置(5)と受水槽(2)とを往路配管(3)及び復路配管(4)とにより連通連結させ、循環流路を形成していることを特徴とする超高分子ミネラル磁気電離水の給水装置。
【発明の詳細な説明】
【０００１】
【発明の属する技術分野】
本発明は、不純物の混入の少ない清浄な超高分子ミネラル磁気電離水を生成し、一度に大量に給水することができるとともに、メンテナンスコストを低くすることができる超高分子ミネラル磁気電離水の給水装置に関するものである。
【０００２】
【従来の技術】
従来、マンションなどの集合住宅や、病院、学校、あるいは飲料水メーカーや食品加工工場などのように大量の水を使用する建物では、給水配管の中途部に受水槽を設け、同受水槽を緩衝部として所定量の水を貯水しておき、一時期に大量の水が消費される場合であっても給水が不可能となることを防止することができるようにしている。
【０００３】
これらの受水槽の中には、その一部において水自体に付加価値をつけるために、受水槽内の水を別途濾過することにより不純物を除去するようにしたり、鉱物層を通すことによってミネラル水を生成したりすることができるものが存在している。
【０００４】
【発明が解決しようとする課題】
しかし、受水槽自体には常に水の出入りがあるために、受水槽を密封構造とすることは不可能であり、そのため、受水槽には、通気用配管などからの外気の侵入や、同受水槽のオーバーフロー部に連通連結させたオーバーフロー配管からの外気の侵入があり、これにともない埃や雑菌などが受水槽内に持ち込まれることとなって受水槽内が汚れやすくなるという問題があった。
【０００５】
特に、汚れたままの受水槽が使用され続けることによって水に臭いや味が移ることがあり、水質を低下させるという問題があった。
【０００６】
また、長期の使用にともなって受水槽内には錆が発生するこがあり、受水槽自体を劣化させて水漏れを生起するなどの問題もあった。
【０００７】
本発明者は、このような現状に鑑み、受水槽への外気の直接的な侵入を阻止することにより受水槽を清浄に保ち、かつ、活性を有する超高分子ミネラル磁気電離水を給水することによって衛生的な水を供給することができるようにした超高分子ミネラル磁気電離水の給水装置を発明するに至ったものである。
【０００８】
【課題を解決するための手段】
本発明の超高分子ミネラル磁気電離水の給水装置では、水を供給する給水配管の途中に受水槽を設け、同受水槽において所定量の水を貯留するようにし、貯留した水を給水ポンプにより吸引して給水配管の下流方向に送水可能とするとともに、受水槽には超高分子ミネラル磁気電離水生成装置を配設し、超高分子ミネラル磁気電離水を給水可能とした給水装置であって、受水槽に連通させた通気用配管に、空気濾過フィルターを内設した空気濾過器を介設し、受水槽内への外気の直接的な侵入を阻止するようにし、さらに、超高分子ミネラル磁気電離水生成装置は、上流側より、受水槽内の水を吸引圧送する循環ポンプと、水の中の不純物イオンを除去するイオン交換機と、セラミックスミネラルハウジングを内設して水にミネラル分を添加することができるようにしたミネラル添加槽と、水の濾過を行う精密濾過器と、水の殺菌処理を行う紫外線殺菌器と、水に磁場を作用させて磁気電離水を生成する磁気マグネット回路とを、この順で直列に連通連結させて構成することにより超高分子ミネラル磁気電離水を生成するようにしており、同超高分子ミネラル磁気電離水生成装置と受水槽とを往路配管及び復路配管とにより連通連結させ、循環流路を形成するようにした。
【０００９】
本発明の超高分子ミネラル磁気電離水の給水装置では、水を供給する給水配管の途中に受水槽を設け、同受水槽において所定量の水を貯留するようにし、貯留した水を給水ポンプにより吸引して給水配管の下流方向に送水可能とするとともに、受水槽には超高分子ミネラル磁気電離水生成装置を配設し、超高分子ミネラル磁気電離水を給水可能とした給水装置であって、受水槽のオーバーフロー部に連通連結させたオーバーフロー排水管にエアカットバルブを介設し、受水槽内への外気の直接的な侵入を阻止するようにし、さらに、超高分子ミネラル磁気電離水生成装置は、上流側より、受水槽内の水を吸引圧送する循環ポンプと、水の中の不純物イオンを除去するイオン交換機と、セラミックスミネラルハウジングを内設して水にミネラル分を添加することができるようにしたミネラル添加槽と、水の濾過を行う精密濾過器と、水の殺菌処理を行う紫外線殺菌器と、水に磁場を作用させて磁気電離水を生成する磁気マグネット回路とを、この順で直列に連通連結させて構成することにより超高分子ミネラル磁気電離水を生成するようにしており、同超高分子ミネラル磁気電離水生成装置と受水槽とを往路配管及び復路配管とにより連通連結させ、循環流路を形成するようにした。
【００１１】
本発明において、磁気電離水とは、配管中を流れる水に強磁場を作用させて水クラスターの微細化を行った水のことである。また、超高分子ミネラルとは、ミネラル分を含有したセラミックスから溶出させたミネラルのことであり、同ミネラルを含有した磁気電離水のことを超高分子ミネラル磁気電離水と呼んでいる。
【００１２】
【発明の実施の形態】
本発明の超高分子ミネラル磁気電離水の給水装置では、超高分子ミネラル磁気電離水生成装置を配設した受水槽を、水を供給する給水配管の途中に介設し、同受水槽に所定量の水を貯留するようにし、貯留した水を給水ポンプにより吸引して給水配管の下流方向に送水可能とすることにより、一度に大量の超高分子ミネラル磁気電離水を供給することができるようにしているものである。
【００１３】
そして、特に、受水槽に連通連結させた通気用配管に、空気濾過フィルターを内設した空気濾過器を介設しているものである。すなわち、給水ポンプによって受水槽内の水を吸引し、給水配管の下流方向に送水を行うことにより受水槽内の水量が減少した際に、通気用配管を通って受水槽内に流入する空気は、空気濾過器の空気濾過フィルターを通った後に受水槽内に流入するので、空気中の埃や雑菌、あるいは排気ガス、あるいは排気ガスなどを空気濾過フィルターにより除去することができ、受水槽内に埃や雑菌などが持ち込まれることを防止することができる。従って、受水槽内が汚れることを防止することができ、常に受水槽内を清浄な状態に維持することができる。特に、通気用配管を伝って生物が受水槽内に侵入することを防止することができる。
【００１４】
また、受水槽内にはオーバーフロー部を設け、受水槽に送給した水のうち、受水槽の容量を超える量の水はオーバーフロー部に溢流させるようにしており、溢流してきた水を同オーバーフロー部に連通連結させたオーバーフロー排水管から受水槽外に排水することができるようにしている。
【００１５】
特に、オーバーフロー排水管にはエアカットバルブを介設しており、水の排水時以外はエアカットバルブが閉弁状態となるようにして、オーバーフロー排水管を通って外気が受水槽内に侵入することを防止することができるようにしている。
【００１６】
一方、オーバーフロー排水管から水が排水される場合には、エアカットバルブが開弁状態となることによって排水することができるようになっており、排水される水によって受水槽内への外気の侵入を阻止することができるようにしている。
【００１７】
従って、オーバーフロー排水管を通って外気が受水槽内に侵入することを防止することができるので、受水槽内に埃や雑菌、あるいは排気ガスなどが持ち込まれることを防止することができ、受水槽内が汚れることを防止することができるので、常に受水槽内を清浄な状態に維持することができる。特に、オーバーフロー排水管を伝って生物が受水槽内に侵入することを防止することができる。
【００１８】
さらに、受水槽には、超高分子ミネラル磁気電離水生成装置と連通連結させるための往路配管及び復路配管を配設し、超高分子ミネラル磁気電離水生成装置が介設されたバイパス状の循環流路を形成するようにしており、受水槽内の水を循環させることができるようにしている。
【００１９】
特に、超高分子ミネラル磁気電離水生成装置は、上流側より、受水槽内の水を吸引圧送する循環ポンプと、水の中の不純物イオンを除去するイオン交換機と、セラミックスミネラルハウジングを内設して水にミネラル分を添加することができるようにしたミネラル添加槽と、水の濾過を行う精密濾過器と、水の殺菌処理を行う紫外線殺菌器と、水に磁場を作用させて磁気電離水を生成する磁気マグネット回路とを、この順で直列に連通連結させて構成するようにしている。
【００２０】
循環ポンプによって循環流路に吸引された水は、まず、イオン交換機に通水されることによって水中に残留している不純物イオンが除去され、軟水化されるようにしており、その後、セラミックスミネラルハウジングを内設したミネラル添加槽に送給するようにしている。
【００２１】
イオン交換機においてあらかじめ不純物イオンを取り除くことによって水の溶解力を高めることができ、セラミックスミネラルハウジングを内設したミネラル添加槽におけるミネラル分の溶出を効率よく行うことができるとともに、溶出したミネラル分をイオン状態で安定して存在させることができ、ミネラル分が不純物イオンと結合して不活性化することを防止することができるようにしている。
【００２２】
また、ミネラル添加槽においては、セラミックスミネラルハウジングからミネラル分が溶出されるだけでなく、セラミックスミネラルハウジングが放射する遠赤外線によっても、水中に溶存している残留化学物質を水から分離、あるいは、分解することができるようにしている。
【００２３】
その後、精密濾過器に通水されることによって、ミネラル添加槽においてセラミックスミネラルハウジングから剥落したセラミックスの微粉末などを除去するとともに、水中に存在する重金属や固形物を確実に除去することができるようにしている。
【００２４】
そして、紫外線殺菌器に通水して水に紫外線を照射することによって、水中に存在する雑菌を殺菌するとともに、有機物などを分解して無害化することができるようにしている。特に、紫外線殺菌器に通水される水は精密濾過器を通過してきているので、紫外線殺菌器の紫外線照射面を汚すおそれがなく、紫外線殺菌器のメンテナンスを省力化することができる。
【００２５】
その後、磁気マグネット回路に通水して磁気電離水を生成することができるようにしている。磁気マグネット回路は、水を流している通水管の周りに永久磁石を配設して強磁場空間を形成するようにしており、同強磁場空間を横切るように送水することによって水と磁場とを作用させ、水クラスターを微細化し、磁気電離水を生成することができるようにしているものである。
【００２６】
特に、水中には、ミネラル添加槽において溶出されたミネラル分がイオン状態として存在していることにより、同イオンにも磁気マグネット回路の磁場が作用することによって水クラスターの微細化を促進させることができるようにしており、かつ、微細化された水クラスターがイオン状態のミネラル分を取り囲むような状態となることによって、ミネラル分を安定的にイオン状態としておくことができるようにしている。従って、ミネラル分を水中にほぼ均一に拡散させることができ、ミネラル分の濃度バラツキが生じることを防止することができるようにしている。
【００２７】
上述したように、イオン交換機、ミネラル添加槽、精密濾過器、紫外線殺菌器、磁気マグネット回路の順で通水させることにより、微アルカリ性の均質なイオン水であって、軟水となった水を生成することができるだけでなく、完全殺菌されるとともに重金属や有機物の除去された超高分子ミネラル磁気電離水を生成することができる。
【００２８】
このような超高分子ミネラル磁気電離水が生成されることによって、受水槽内に万が一雑菌が混入しても繁殖を抑制・防止することができるとともに、受水槽内面に錆やぬめりなどが発生することも防止することができ、受水槽内を常に清浄に保つことができるので、メンテナンスを不要とすることができる。さらに、受水槽の下流側の給水配管内も超高分子ミネラル磁気電離水によって清浄に保つことができ、給水配管自体のメンテナンスも不要とすることができる。
【００２９】
そのうえ、供給される水が超高分子ミネラル磁気電離水となっていることによって体に良く、また、洗浄力・殺菌力があることによって野菜や果物などの食物を洗った際に殺菌を行うことができ、さらには、食器洗いや洗濯の際における洗剤の量を減らしたりすることができる。
【００３０】
なお、以下において図面に基づいて実施例を示しながら、本発明の超高分子ミネラル磁気電離水の給水装置をさらに詳説する。
【００３１】
【実施例】
図１は、本発明に係る超高分子ミネラル磁気電離水の給水装置Ａの概略説明図である。
【００３２】
給水装置Ａは、給水配管１の途中に介設した受水槽２と、同受水槽２に連通連結させた超高分子ミネラル磁気電離水生成装置５とにより構成している。特に、受水槽２と超高分子ミネラル磁気電離水生成装置５は、往路配管３と復路配管４を介して連結し、循環流路を形成するようにしている。
【００３３】
受水槽２は、同受水槽２が配設される建物における水の使用量に応じて適宜の容量としており、内部に常に所要量の水を貯留することができるようにしている。特に、フロート（図示せず）などの水量検知手段によって受水槽２内の水面が常に満水状態喫水面となるようにしており、水の使用にともなって受水槽２内の水面が低下すると、受水槽２の上流側に位置する給水配管１に設けた給水バルブ６を開弁して、受水槽２内に給水を行うことができるようにしている。給水により、受水槽２内の水面が満水状態喫水面に達すると、水量検知手段によってそのことを検知して給水バルブ６を閉弁するようにしている。
【００３４】
なお、図示していない制御部によって、給水バルブ６が開弁状態となっている時間を計測するようにしており、計測された開弁時間から受水槽２に供給された水の量を算出するようにしている。
【００３５】
また、給水バルブと６と受水槽２との間に位置する給水配管１には精密濾過器８及びイオン交換機９を配設し、受水槽２に送給される水をあらかじめ濾過及び硬度調整することができるようにしてもよい。これにより、受水槽内２に水に紛れてゴミや雑菌が侵入することを防止することができる。
【００３６】
受水槽２には、満水状態喫水面より水面が上昇すること防止するためのオーバーフロー部10を設けており、満水状態喫水面より水面が上昇した際に余分な水を同オーバーフロー部10に溢流させることができるようにしている。オーバーフロー部10に溢流した水は、オーバーフロー部10に連通連結したオーバーフロー排水管11を通って受水槽２外に排水することができるようにしている。
【００３７】
特に、オーバーフロー排水管11にはエアカットバルブ12を介設し、オーバーフロー排水管11を介しての排水が行われない場合には閉弁状態として、オーバーフロー排水管11を通って外気が受水槽２内に侵入することを防止することができるようにしている。従って、受水槽２内に外気とともに埃や雑菌が持ち込まれることを防止することができ、受水槽２内の清浄状態を維持することができる。
【００３８】
なお、オーバーフロー部10及びオーバーフロー排水管11は一つに限定するものではなく、受水槽２の容量に合わせて複数配設してもよい。ただし、独立したオーバーフロー排水管11を複数設けた場合には、必ずそれぞれにエアカットバルブ12を介設する必要がある。
【００３９】
また、受水槽２には上方部分には通気用配管13を設けて受水槽２内の空気量が適宜に増減するようにしており、受水槽２内の水の増減にともって受水槽２内と外部とにおいて気圧差が生じて、受水槽２への水の供給、あるいは、受水槽２からの水の吸引の際に余分な付加がかからないようにしている。
【００４０】
特に、通気用配管13には、空気濾過フィルターを内設した空気濾過器14を介設しており、受水槽２内の水面低下にともなって受水槽２内に吸引される外気を、空気濾過器14の空気濾過フィルターで濾過した後に吸引することができるようにしている。従って、外気中に混じっている埃や雑菌を空気濾過フィルターにより取り除くことができ、清浄な空気のみを受水槽２内に吸引することができるので、受水槽２内が埃や雑菌で汚染されることを防止することができる。
【００４１】
なお、通気用配管13は一つに限定するものではなく、必要に応じて複数設けてもよい。ただし、独立した通気用配管13を複数設けた場合には、必ずそれぞれに空気濾過器14が介設される必要がある。
【００４２】
上述した受水槽２は、往路配管３及び復路配管４によって超高分子ミネラル磁気電離水生成装置５と連通連結され、バイパス状の循環流路を形成するようにしている。特に、往路配管３の受水槽２への連通部3'は、できるだけ受水槽２の底部近傍あるいは底部に設けることが望ましく、受水槽２の底部部分の水を超高分子ミネラル磁気電離水生成装置５に送給することができるようにしており、受水槽２内に紛れ込んだ埃などからなる沈殿物が受水槽２の底部に堆積することを防止することができるようにしている。
【００４３】
また、復路配管４の受水槽２への連通部4'は、満水状態喫水面よりも上となるようにし、超高分子ミネラル磁気電離水生成装置５から受水槽２に送られてきた超高分子ミネラル磁気電離水が受水槽２内に注水されることによって生起される振動により、受水槽２内の水を均一に攪拌することができるようにしている。これにより、超高分子ミネラル磁気電離水中のミネラル分の濃度に不均一が生じることを防止するようにしている。
【００４４】
超高分子ミネラル磁気電離水生成装置５は、上述したように、上流側より、受水槽２内の水を吸引圧送する循環ポンプ15と、水の中の不純物イオンを除去するイオン交換機16と、セラミックスミネラルハウジング17を内設して水にミネラル分を添加することができるようにしたミネラル添加槽18と、水の濾過を行う精密濾過器19と、水の殺菌処理を行う紫外線殺菌器20と、水に磁場を作用させて磁気電離水を生成する磁気マグネット回路21とを、この順で直列に連通連結させて構成するようにしている。
【００４５】
循環ポンプ15によって超高分子ミネラル磁気電離水生成装置５に吸引された水は、まず、イオン交換機16に通水されることによって水中に残留している不純物イオンが除去され、水を軟水化するようにしている。
【００４６】
次いで、水は、セラミックスミネラルハウジング17を内設したミネラル添加槽18に通水される。セラミックスミネラルハウジング17は水に添加したいミネラル分の溶出が可能な組成としている。特に、イオン交換機16においてあらかじめ水中の不純物イオンが除去されていることによって水の溶解力が高められているので、ミネラル分を効率よく溶出させることができる。また、溶出したミネラル分が不純物イオンと結合して、不活性化することを防止することもできる。
【００４７】
さらに、セラミックスミネラルハウジング17が放射する遠赤外線によっても、水中に溶存している残留化学物質を水から分離、あるいは、分解することができるようにしている。
【００４８】
次いで、水は精密濾過器19に通水される。精密濾過器19では、0.1μｍ程度の大きさの物体まで濾別することができるフィルターを使用しており、ミネラル添加槽18においてセラミックスミネラルハウジング17から剥落したセラミックスの微粉末を除去するだけでなく、水中に存在する重金属や細菌などの固形体を確実に除去することができるようにしている。
【００４９】
なお、必要に応じて、ミネラル添加槽18と精密濾過器19との間に加圧ポンプ27を介設し、水をさらに加圧して精密濾過器19に送給するようにし、精密濾過器19の処理能力を高めることができるようにしてもよい。
【００５０】
次いで、水は紫外線殺菌器20に通水される。紫外線殺菌器20では紫外線照射ランプ22によって紫外線を照射するようにしており、照射された紫外線によって水中に存在する雑菌を殺菌するとともに、有機物などを分解して無害化することができるようにしている。紫外線殺菌器20に通水される水は精密濾過器19を通過してきているので、紫外線照射ランプ22の紫外線照射面を汚すおそれがなく、紫外線殺菌器20のメンテナンスを省力化することができる。
【００５１】
次いで、水は磁気マグネット回路21に通水される。磁気マグネット回路21では、水の流れる通水管の周りに永久磁石を配設し（図示せず）、同永久磁石が生起した磁場を横切るように水を流すことによって水クラスターを微細化して、磁気電離水を生成することができるようにしている。磁気マグネット回路21においては、最も効率よく水を磁気電離水とすることができるように永久磁石を適宜組み合わせて配設している。
【００５２】
このように、イオン交換機16、ミネラル添加槽18、精密濾過器19、紫外線殺菌器20、磁気マグネット回路21の順で通水させることにより、微アルカリ性の均質なイオン水であって、軟水となった水を生成することができるだけでなく、完全殺菌されるとともに重金属や有機物の除去された超高分子ミネラル磁気電離水を効率よく生成することができ、同超高分子ミネラル磁気電離水の浄化力の高さを利用して受水槽２内の清浄状態を維持することができるようにしている。
【００５３】
すなわち、超高分子ミネラル磁気電離水には錆の生起を防止する効果があるので、受水槽２内、及び、受水槽２の下流側の給水配管１内に錆やスケールが生起されることを防止することができ、さらに、超高分子ミネラル磁気電離水は完全殺菌されているので、受水槽２内、及び、受水槽２の下流側の給水配管１内に雑菌の繁殖にともなうぬめりなどが生起されることを防止することができる。従って、受水槽２のメンテナンスを不要とすることができる。
【００５４】
超高分子ミネラル磁気電離水生成装置５により生成された超高分子ミネラル磁気電離水は、復路配管４を通って受水槽２に戻されるようにしている。
【００５５】
受水槽２、往路配管３、超高分子ミネラル磁気電離水生成装置５、復路配管４とによって形成される循環流路を設けて、受水槽２内の水を超高分子ミネラル磁気電離水生成装置５に繰り返し通水させることによって、超高分子ミネラル磁気電離水の活性度を高めることができるようにしている。
【００５６】
一方、超高分子ミネラル磁気電離水生成装置５に繰り返し通水することによって、超高分子ミネラル磁気電離水にある程度の濃度までミネラル分が溶け込むと平衡状態となり、セラミックスミネラルハウジング17からのミネラル分の溶出が自動的に停止するようになっている。この平衡状態は、セラミックスミネラルハウジング17の組成に依存しており、平衡状態での超高分子ミネラル磁気電離水のミネラル分濃度が所望の濃度となるようにセラミックスミネラルハウジング17の組成を決定している。
【００５７】
この平衡状態に達するまでの時間をあらかじめ計測しておき、上述したように給水バルブ６を開弁状態として受水槽２に供給した水によって希釈された受水槽２内の超高分子ミネラル磁気電離水を、再度、平衡状態の超高分子ミネラル磁気電離水とすることができるまで、超高分子ミネラル磁気電離水生成装置５の循環ポンプ15を作動させるようにしている。
【００５８】
超高分子ミネラル磁気電離水が平衡状態に達すると、循環ポンプ15を停止させて超高分子ミネラル磁気電離水の循環を停止し、不必要に循環を行うことを防止するようにしている。
【００５９】
受水槽２内の超高分子ミネラル磁気電離水は、給水ポンプ23によって吸引されて給水配管１の下流方向に送水されるようにしている。このとき、給水配管１に、再度、精密濾過器24を介設して、受水槽２から吸引・送水される超高分子ミネラル磁気電離水を濾過した後、送給するようにしてもよい。
【００６０】
本発明の超高分子ミネラル磁気電離水の給水装置Ａでは、図１に示すように、循環ポンプ15の下流側に三方弁28を配設して逆洗用配管25を分岐させており、定期的に超高分子ミネラル磁気電離水生成装置５の精密濾過器19を定期的に洗浄することができるようにしている。符号26は洗浄後の水を排水するための洗浄水排水管である。イオン交換機16も定期的な洗浄を可能としておき、洗浄排水を、洗浄水排水管26を通して排水することができるようにしてもよい。
【００６１】
以上のような超高分子ミネラル磁気電離水の給水装置Ａとすることにより、マンションなどの集合住宅や、病院、学校、あるいは飲料水メーカーや食品加工工場などのように大量の水を使用する建物においても超高分子ミネラル磁気電離水を使用することができるとともに、給水装置Ａのメンテナンス性を著しく向上させることができる。
【００６２】
【発明の効果】
請求項１記載の本発明によれば、受水槽に連通させた通気用配管に、空気濾過フィルターを内設した空気濾過器を介設していることによって、受水槽内への外気の直接的な侵入を阻止することができ、受水槽内に外気に混じって埃、排気ガス、生物などが侵入することを防止することができるので、受水槽内を清浄な状態に維持することができる。上流側より、受水槽内の水を吸引圧送する循環ポンプと、水の中の不純物イオンを除去するイオン交換機と、セラミックスミネラルハウジングを内設して水にミネラル分を添加することができるようにしたミネラル添加槽と、水の濾過を行う精密濾過器と、水の殺菌処理を行う紫外線殺菌器と、水に磁場を作用させて磁気電離水を生成する磁気マグネット回路とを、この順で直列に連通連結させて構成することにより超高分子ミネラル磁気電離水生成装置として超高分子ミネラル磁気電離水を生成するようにし、同超高分子ミネラル磁気電離水生成装置と受水槽とを往路配管及び復路配管とにより連通連結させ、循環流路を形成していることによって、繰り返し超高分子ミネラル磁気電離水生成装置への通水を行うことにより活性度の高い超高分子ミネラル磁気電離水を生成することができる。
【００６３】
請求項２記載の本発明によれば、受水槽のオーバーフロー部に連通連結させたオーバーフロー排水管にエアカットバルブを介設していることによって、同オーバーフロー配管を伝って外気が受水槽内に侵入することを防止することができ、受水槽内に埃、排気ガス、生物などが侵入するおそれがなく、受水槽内を清浄な状態に維持することができる。上流側より、受水槽内の水を吸引圧送する循環ポンプと、水の中の不純物イオンを除去するイオン交換機と、セラミックスミネラルハウジングを内設して水にミネラル分を添加することができるようにしたミネラル添加槽と、水の濾過を行う精密濾過器と、水の殺菌処理を行う紫外線殺菌器と、水に磁場を作用させて磁気電離水を生成する磁気マグネット回路とを、この順で直列に連通連結させて構成することにより超高分子ミネラル磁気電離水生成装置として超高分子ミネラル磁気電離水を生成するようにし、同超高分子ミネラル磁気電離水生成装置と受水槽とを往路配管及び復路配管とにより連通連結させ、循環流路を形成していることによって、繰り返し超高分子ミネラル磁気電離水生成装置への通水を行うことにより活性度の高い超高分子ミネラル磁気電離水を生成することができる。
【００６５】
従って、超高分子ミネラル磁気電離水自体の特性により受水槽内での雑菌の繁殖を防止することができるとともに、受水槽内及び受水槽の下流方向の給水配管内での錆やスケールの生起を防止することができるので、受水槽及び受水槽の下流方向給水配管の清掃作業をはじめとするメンテナンスを不要とすることができる。
【図面の簡単な説明】
【図１】本発明に係る給水装置の説明図である。
【符号の説明】
Ａ  超高分子ミネラル磁気電離水の給水装置
１  給水配管
２  受水槽
３  往路配管
４  復路配管
５  超高分子ミネラル磁気電離水生成装置
６  給水バルブ
８  精密濾過器
９  イオン交換機
10  オーバーフロー部
11  オーバーフロー排水管
12  エアカットバルブ
13  通気用配管
14  空気濾過器
15  循環ポンプ
16  イオン交換機
17  セラミックスミネラルハウジング
18  ミネラル添加槽
19  精密濾過器
20  紫外線殺菌器
21  磁気マグネット回路
22  紫外線照射ランプ
23  給水ポンプ
24  精密濾過器
25  逆洗用配管
26  洗浄水排水管
28  三方弁
【図１】
0004472857.tif 000002